(57)【特許請求の範囲】
【請求項１】
遊技機の前面に取り付けられるガラス枠において、
略矩形状に形成された金属材料からなる枠部材と、
前記枠部材に取り付けられ、ガラス板を保持するガラス板挿入溝が形成された樹脂材料からなるレール部材とを備えてなる遊技機用ガラス枠であって、
前記レール部材は、その両端部近傍にそれぞれ前記枠部材側に突出する一対の取付爪部を備え、
前記枠部材は、前記一対の取付爪部と対応する位置にそれぞれ２つの取付孔部を備え、当該２つの取付孔部の内、前記枠部材の端部側に位置する取付孔部は、前記一対の取付爪部の一つの先端のみが挿入可能な長さに形成される一方、他方の取付孔部は、前記一対の取付爪部が双方とも挿入可能な長さに形成されてなり、
前記一対の取付爪部の内、前記枠部材の端部側の取付爪部の先端を前記枠部材の端部側の取付孔部に係止させることにより、前記レール部材が前記枠部材に取り付け得るように構成されてなることを特徴とする遊技機用ガラス枠。
【請求項２】
前記レール部材の前記枠部材への取付においては、前記一対の取付爪部を前記他方の取付孔部に挿入せしめ、次いで、前記レール部材を前記枠部材の端部側へスライドさせ、前記一対の取付爪部の内、前記枠部材の端部側の取付爪部の先端を前記枠部材の端部側の取付孔部に係止させることを特徴とする請求項１記載の遊技機用ガラス枠。
【請求項３】
前記レール部材は、複数枚のガラス板を所定間隔を持って保持するガラス板挿入溝が形成されてなることを特徴とする請求項１記載の遊技機用ガラス枠。
【請求項４】
前記レール部材は、高摺動性の合成樹脂材料からなることを特徴とする請求項１記載の遊技機用ガラス枠。
【請求項５】
前記レール部材は、着色されてなることを特徴とする請求項１から４のうちいずれか１項記載の遊技機用ガラス枠。
【発明の詳細な説明】
【０００１】
【発明の属する技術分野】
本発明は、例えばパチンコ遊技機等の前面に取り付けられる遊技機用ガラス枠に関し、詳しくは、ガラス板を安定して取り付けることができる遊技機用ガラス枠に関するものである。
【０００２】
【従来の技術】
従来より、パチンコ遊技機の前面には、ガラス板がはめ込まれたガラス枠が、遊技機の本体に対して開閉可能に軸支されている。このようなガラス枠は、鉄、アルミニウム等の板金を曲げ加工することにより２枚のガラス板を保持し得るように２つのガラス板挿入溝が並列に形成され、さらにこのようにガラス板挿入溝が形成された板金がコ字状に屈曲されてなる枠部材を備え、この枠部材の解放されたガラス板挿入溝の端部から２枚のガラス板を挿入し、これらを所定の間隔をもって枠部材によって保持することにより構成される。
【０００３】
しかしながら、このようなガラス枠は、枠部材が板金からなり、枠部材にガラス板挿入溝を形成するための曲げ加工が手間を要することから、製造コストが高いという問題がある。また、加工精度がそれほどよくないため、ガラス板の端部がガラス板挿入溝に引っかかりやすく、ガラス板をガラス枠にスムーズに挿入することができないばかりか、最悪の場合ガラス板が欠けたり割れたりするおそれもある。
【０００４】
このため、特開平７−２７５４７１号公報には、枠部材を合成樹脂により構成したガラス枠が開示されている。このガラス枠によれば、合成樹脂を成型することによりガラス板挿入溝を枠部材に簡易に形成することができるため、ガラス枠を安価に製造することができる。また、比較的精度も良好に製造することができるため、ガラス板が欠けたり割れたりすることなく、ガラス板をスムーズにガラス枠に挿入することができる。
【０００５】
【発明が解決しようとする課題】
しかしながら、特開平７−２７５４７１号公報のガラス枠は、枠部材を全て合成樹脂により構成しているため、剛性が低く、強度的に弱いという問題がある。
【０００６】
本発明は上記事情に鑑みなされたもので、強度を確保しつつも製造が容易な遊技機用ガラス枠を提供することを目的とするものである。
【０００７】
【課題を解決するための手段】
上記目的を達成するために、本発明の請求項１に係る遊技機用ガラス枠は、遊技機の前面に取り付けられるガラス枠において、
略矩形状に形成された金属材料からなる枠部材と、
前記枠部材に取り付けられ、ガラス板を保持するガラス板挿入溝が形成された樹脂材料からなるレール部材とを備えてなる遊技機用ガラス枠であって、
前記レール部材は、その両端部近傍にそれぞれ前記枠部材側に突出する一対の取付爪部を備え、
前記枠部材は、前記一対の取付爪部と対応する位置にそれぞれ２つの取付孔部を備え、当該２つの取付孔部の内、前記枠部材の端部側に位置する取付孔部は、前記一対の取付爪部の一つの先端のみが挿入可能な長さに形成される一方、他方の取付孔部は、前記一対の取付爪部が双方とも挿入可能な長さに形成されてなり、
前記一対の取付爪部の内、前記枠部材の端部側の取付爪部の先端を前記枠部材の端部側の取付孔部に係止させることにより、前記レール部材が前記枠部材に取り付け得るように構成されてなることを特徴とするものである。
【０００８】
ここで、前記レール部材は、高摺動性の合成樹脂材料からなることが好ましい。
また、前記レール部材は、着色されてなることが好ましい。
【０００９】
【発明の実施の形態】
以下、本発明の一実施形態について図面を参照しつつ詳細に説明する。
図１は、本発明の実施形態に係るガラス枠を備えたパチンコ遊技機の前面側の構造を示す斜視図である。
【００１０】
図１に示すように、このパチンコ遊技機１は、機枠２にベースドア３が開閉自在に取り付けられて構成されており、ベースドア３の正面上部には遊技盤４が取り付けられている。遊技盤４には多数の障害釘や役物等が設けられている。ベースドア３の正面下部には遊技球を貯留する上皿７および下皿８が設けられており、下皿８の右方には操作ハンドル９が設けられている。そして、操作ハンドル９が遊技者によって操作されると、上皿７に貯留された遊技球が発射され、発射された遊技球は遊技盤４とその前面を覆うガラス枠１０との間に形成された空間を通り、遊技盤４に植設された遊技釘に弾かれながら盤面を流下する。なお、ガラス枠１０はベースドア３に対して開閉自在に軸支されている。ガラス枠１０は、ガラス板１９を保持する枠部材１１と、枠部材１１を覆うカバー部材１２とから構成されている。
【００１１】
図２（ａ）は枠部材の構成を示す平面図、図２（ｂ）はその正面図である。図２に示すように、枠部材１１は、透明な複層のガラス板１９を保持するためのものであり、ガラス板１９の下部を支持するガラスフレーム２０ａ、ガラス板１９の側部を支持するガラスフレーム２０ｂ、２０ｃ、およびガラスフレーム２０ｂ、２０ｃの上部を接合するガラスフレーム２０ｄにより略矩形状に構成されている。これら４つのガラスフレーム２０ａ〜２０ｄにより囲まれた開口部２４が形成されており、この開口部２４により遊技盤４の遊技領域を遊技者が視認することができることとなる。なお、ガラスフレーム２０ａ〜２０ｄは金属材料からなるものである。
【００１２】
ガラスフレーム２０ｂの下部には、軸部１５が設けられており、この軸部１５がベースドア３に支承されることにより、ガラス枠１０がベースドア３に開閉自在に軸支される。また、上部のガラスフレーム２０ｄは、他のガラスフレーム２０ａ〜２０ｃよりも若干ガラス枠１０の前面側に突出する平坦部７０が形成されており、この平坦部７０に遊技機１を装飾するためのＬＥＤ基板やスピーカ等の装飾部材を取り付けるためのゲタ部７１が形成されている。
【００１３】
また、ガラスフレーム２０ａ〜２０ｃの内側縁部には、開口部２４を囲むようにして、枠部材１１の背面側、すなわち遊技者とは反対側方向に突出するようにガラス取付部２１が形成されている。
【００１４】
次いで、カバー部材１２の構成について説明する。図３はカバー部材１２の構成を示す正面図である。図３に示すようにカバー部材１２は例えばＡＢＳのような透明な樹脂により構成されるものであり、所望とするデザインとなるように成形することが容易である。カバー部材１２の中央部における枠部材１１の開口部２４と対応する位置には、円板状または円形ドーム状の透視窓５０が形成されている。また、透視窓５０の、図面に対して左上部および右上部には、透視窓５０の外周に沿って左右それぞれ５つずつのランプ用レンズ５２が形成されている。このランプ用レンズ５２は左右ともに真中に位置するものの径が最大であり、これから離れるにつれて径が小さくなるように構成されている。そして、これらのレンズ５２により、枠部材１１に取り付けられるＬＥＤ基板（不図示）から発せられる光が着色されたり、散乱されることにより、遊技者の視覚を通じて遊技機１の装飾効果を高めることができる。
【００１５】
また、枠部材１１に取り付けられるスピーカ（不図示）と対応する位置には、スリット５３が形成されており、このスリット５３を介してスピーカから発せられる音声が外部に出力され、遊技者の聴覚を通じて遊技機１の装飾効果を高めることができる。
【００１６】
次に、本実施形態によるガラス枠１０のガラス板１９の取付部分の構成について説明する。図４は、図２の部分Ａの拡大図である。上記図２（ａ）および図４に示すように、ガラスフレーム２０ａ〜２０ｃのガラス取付部２１は、枠部材１１の背面側に突出するように形成されており、この表面にガラス板１９を保持するためのガラスレール２２が取り付けられる。
【００１７】
図５は、ガラスレール２２の構成を示す図であり、（ａ）はその平面図、（ｂ）は（ａ）のＣ方向矢視図、（ｃ）は（ａ）のＩ−Ｉ線断面図、図６は図５（ａ）のＩＩ−ＩＩ線断面図をガラス板１９の取付状態とともに示す図である。図５および図６に示すように、このガラスレール２２はＰＯＭ、ナイロンなどの合成樹脂からなり、壁部６０および凸部６１により、複層（本実施形態では２層）のガラス板１９を所定の間隔をもってガラスフレーム２０ａ〜２０ｃに取り付けるための断面凹状の第１および第２のガラス板挿入溝６２、６３が形成されている。なお、第１のガラス板挿入溝６２は、壁部６０および凸部６１により断面凹状となるように形成され、第２のガラス板挿入溝６３は、図６に示すように、カバー部材１２を枠部材１１に取り付けた後に、凸部６１およびカバー部材１２により断面凹状となるように形成されるものである。また、ガラス板１９をガラス枠１０に挿入しやすくするためには、ガラスレール２２が、ナイロンなどの比較的摺動性が高い合成樹脂材料からなることが好ましい。
【００１８】
図５に示すように、ガラスレール２２には、その両端部近傍にそれぞれ一対の取付爪部５５が所定間隔をもって形成されている。一方、ガラス取付部２１には、図７に示すように、その両端部近傍に取付孔部５６、５７が所定間隔をもって形成されている。なお、取付孔部５６は一対の取付爪部５５が双方とも挿入可能な長さに形成されており、取付孔部５７は取付爪部５５の先端のみが挿入可能な長さに形成されている。そして、図８（ａ）に示すように、ガラス取付部２１の取付孔部５６にガラスレール２２の取付爪部５５を挿入し、ガラスレール２２を矢印Ｄ方向にスライドさせることにより、図８（ｂ）に示すように取付爪部５５の先端が取付孔部５７に係止され、これによりガラスレール２２がガラス取付部２１に取り付けられる。
【００１９】
次いで、本実施形態によるガラス枠の組立手順について説明する。まず、上述したように、ガラス取付部２１にガラスレール２２が取り付けられた枠部材１１にカバー部材１２が取り付けられる。そして、ガラス板１９の一端縁部がガラスフレーム２０ｄ側より枠部材１１に挿入され、さらにガラスフレーム２０ｂ、２０ｃのガラスレール２２に形成されたガラス板挿入溝６２、６３にその両側縁部が案内され、上記一端縁部がガラスフレーム２０ａのガラスレール２２により形成されるガラス板挿入溝６２、６３に挿入されることによりガラス板１９がガラス枠１０に保持される。そしてこれにより開口部２４がガラス板１９により閉塞されて、ガラス枠１０が構成される。
【００２０】
以上詳述したように、本実施形態に係る遊技機のガラス枠１０においては、ガラス板１９を案内するためのガラス板挿入溝６２、６３を有するガラスレール２２を合成樹脂材料からなるものとしたため、従来のガラス枠のように板金を曲げ加工してガラス板挿入溝を形成するものと比較して、ガラス板挿入溝６２、６３の形成が容易となり、これによりガラス枠１０の製造コストを低減することができる。しかもガラスレール２２は合成樹脂材料からなることから、金属材料と比較してその寸法精度を良好に形成することができるため、ガラス板挿入溝６２、６３も比較的精度よく形成することができる。これにより、ガラス板１９をスムーズにガラス枠１０に挿入することができ、ガラス板１９の挿入時における欠けや割れを防止することができる。さらに、ガラスレール２２は金属材料からなるガラスフレーム２０ａ〜２０ｃに取り付けられているため、上記特開平７−２７５４７１号公報に開示された合成樹脂材料のみからなる枠部材と比較して、ガラス枠１０の強度も十分に確保することができる。
【００２１】
なお、上記実施形態において、ガラスレール２２を着色してもよい。ここで、ガラスレール２２は合成樹脂材料からなるため、その着色は容易であり、またガラスレール２２を着色することにより、遊技者はガラス板１９を介してそのガラスレール２２の色を視認することができる。これにより、遊技機１の装飾効果をより向上させることができる。
【００２２】
なお、本発明の遊技機は、パチンコ遊技機のみならずその他の種々の遊技機に適用可能であり、例えば、アレンジボール遊技機等に適用可能である。
また、上記実施形態においては、ガラスレール２２をＰＯＭ、ナイロン等としているが、合成樹脂材料であればいかなる材料をも採用可能である。
【００２３】
【発明の効果】
本発明の請求項１記載の遊技機によれば、金属材料からなる枠部材に、樹脂材料からなるレール部材を取り付けてガラス枠を構成しているため、板金などの金属材料を曲げ加工した従来のガラス枠と比較して、ガラス板挿入溝の形成が容易となり、これにより製造コストを低減することができる。また、比較的精度よくガラス板挿入溝を形成することができるため、ガラス板をガラス枠にスムーズに挿入することができ、これによりガラス板の挿入時における欠けや割れを防止することができる。さらに、レール部材は金属材料からなる枠部材に取り付けられているため、樹脂材料のみからなる枠部材と比較して、ガラス枠の強度も十分に確保することができる。
また、レール部材が取付爪部を、枠部材が取付孔部を備えるものとし、取付爪部を取付孔部に係止することにより、レール部材を枠部材に取り付けるようにしたので、レール部材の取り付けを容易に行うことができ、これにより本発明による遊技機用ガラス枠を簡易に構成することができる。
【００２４】
また、上記構成において、請求項４に記載したように、レール部材を高摺動性の合成樹脂材料から構成すれば、ガラス板をガラス枠に対してさらにスムーズに挿入することができ、これにより、ガラス板の欠けや割れを確実に防止することができる。
【００２５】
また、上記構成において、請求項５に記載したように、レール部材を着色すれば、ガラス板をガラス枠に取り付けた際に、ガラス板を介してレール部材の色を視認することができる。これにより、遊技機の装飾効果を高めることができる。
【図面の簡単な説明】
【図１】本発明の実施形態に係るガラス枠を備えた遊技機のガラス枠を開いた状態を示す斜視図
【図２】枠部材の構成を示す図
【図３】カバー部材の構成を示す正面図
【図４】図２の部分Ａ拡大図
【図５】ガラスレールの構成を示す図であり、（ａ）はその平面図、（ｂ）は（ａ）のＣ方向矢視図、（ｃ）は（ａ）のＩ−Ｉ線新面図である。
【図６】図５（ａ）のＩＩ−ＩＩ線断面図
【図７】ガラス取付部における取付孔部の構成を示す図
【図８】ガラスレールをガラス取付部に取り付ける状態を示す図
【符号の説明】
１・・・パチンコ遊技機
２・・・機枠
３・・・ベースドア
４・・・遊技盤
１０・・・ガラス枠
１９・・・ガラス板
１１・・・枠部材
１２・・・カバー部材
２０ａ〜２０ｄ・・・ガラスフレーム
２１・・・ガラス取付部
２２・・・ガラスレール
２４・・・開口部
５５・・・取付爪部
５６、５７・・・取付孔部
６２、６３・・・ガラス板挿入溝
【図１】
0003795262.tif 000002
【図２】
0003795262.tif 000003
【図３】
0003795262.tif 000004
【図４】
0003795262.tif 000005
【図５】
0003795262.tif 000006
【図６】
0003795262.tif 000007
【図７】
0003795262.tif 000008
【図８】
0003795262.tif 000009